(57)【特許請求の範囲】
【請求項１】
対面する表裏２枚の胴部フィルムの開口部内側面に、雌雄咬合型の咬合具と、前記咬合具の上方に咬合具と平行して直接又は間接的に一体化したリブ条とを備えた合成樹脂製咬合具付袋体において、
前記リブ条は前記２枚の胴部フィルムのそれぞれに上下２条設けられており、この両胴部フィルムの上方のリブ条は上下位相差を持たせた段違いで位置し、袋体両サイド又はその何れか一方のサイドの前記段違いのリブ条間に引き裂き用ノッチを設けたことを特徴とする合成樹脂製咬合具付袋体。
【請求項２】
対面する表裏２枚の胴部フィルムの開口部内側面に、雌雄咬合型の咬合具と、前記咬合具の上方に咬合具と平行して直接又は間接的に一体化したリブ条とを備えた合成樹脂製咬合具付袋体において、
前記リブ条は前記２枚の胴部フィルムのそれぞれに上下２条設けられており、この両胴部フィルムの上方のリブ条は上下位相差を持たせた段違いで位置し、袋体両サイド又はその何れか一方のサイドの前記段違いのリブ条間に引き裂き用ノッチを設け、前記段違いの上方に位置するリブ条側における下方リブ条は、他側の上下リブ条間の範囲内の高さに位置したことを特徴とする合成樹脂製咬合具付袋体。
【請求項３】
前記段違いのリブ条の上方に位置する側における下方リブ条と、他側の上下リブ条にエンボス又はローレット等による凹凸加工が施されていることを特徴とする請求項１及び２に記載の合成樹脂製咬合具付袋体。
【発明の詳細な説明】
【０００１】
【発明の属する技術分野】
本発明は、開口部に雌雄咬合型の咬合具と、この咬合具の上方に咬合具と平行してリブ条とを備えた合成樹脂製咬合具付袋体に関するものである。
【０００２】
【従来の技術】
合成樹脂製袋体の開口部を開口するために、平行する２条のリブ条間を引き裂いて行くようにした技術は特公平７−８４２２３号で提供されているように、対面する２枚の胴部フィルムの開口部内側面に、雌雄咬合型の咬合具と、前記咬合具の上方に咬合具と平行したリブ条とを備え、袋体サイドに設けた引き裂き開始用のノッチから開始された破れが前記リブ条によって意図した方向に誘導されるようにした構造の易開封性密封袋が公知である。
【０００３】
【発明が解決しようとする課題】
上記特公平７−８４２２３号の易開封性密封袋のリブ条（誘導肉厚部）は２枚の胴部フィルムのそれぞれに上下２条のリブ条が上下それぞれ同位相で相対向して設けられた構造である。この場合、引き裂き方向がリブ条によって誘導されリブ条を乗り越えて不本意な方向への破れを防止することはできるが、前記したようにリブ条（誘導肉厚部）は２枚の胴部フィルムのそれぞれに上下２条のリブ条が上下それぞれ同位相で相対向して設けられているため、開封前の密封時においては相対向する上下それぞれのリブ条同士が突き当たって対接し、咬合具上方の開口部の厚味が増大して体裁を損なっている。また、開口部の引き裂き後には上方のリブ条が切除され、同位相で相対向している下方の１本づつのリブ条のみが咬合具上方の開口部に残存する。この残存するリブ条は開口部の左右を把持して咬合具を開放する際の指先の滑り止めにもなるが、指先は１本のリブ条を把持するため不安定な把持となり、咬合具を開放する左右の力が不均等に作用すると、咬合具の開放の円滑性を欠如してくる。
【０００４】
本発明の目的は、開口部の引き裂きを意図した方向に誘導する上に、引き裂き後の咬合具の開放操作の円滑性を向上した合成樹脂製咬合具付袋体を提供することである。
【０００５】
【課題を解決するための手段】
上記目的を達成するための本発明は、対面する表裏２枚の胴部フィルムの開口部内側面に、雌雄咬合型の咬合具と、前記咬合具の上方に咬合具と平行して直接又は間接的に一体化したリブ条とを備えた合成樹脂製咬合具付袋体において、前記リブ条は前記２枚の胴部フィルムのそれぞれに上下２条設けられており、この両胴部フィルムの上方のリブ条は上下位相差を持たせた段違いで位置し、袋体両サイド又はその何れか一方のサイドの前記段違いのリブ条間に引き裂き用ノッチを設けたことを特徴とするものである。
【０００６】
また、対面する表裏２枚の胴部フィルムの開口部内側面に、雌雄咬合型の咬合具と、前記咬合具の上方に咬合具と平行して直接又は間接的に一体化したリブ条とを備えた合成樹脂製咬合具付袋体において、前記リブ条は前記２枚の胴部フィルムのそれぞれに上下２条設けられており、この両胴部フィルムの上方のリブ条は上下位相差を持たせた段違いで位置し、袋体両サイド又はその何れか一方のサイドの前記段違いのリブ条間に引き裂き用ノッチを設け、前記段違いの上方に位置するリブ条側における下方リブ条は、他側の上下リブ条間の範囲内の高さに位置したことを特徴とするものである。
【０００７】
さらに、前記段違いのリブ条の上方に位置する側における下方リブ条と、他側の上下リブ条にエンボス又はローレット等による凹凸加工が施されていることを特徴とするものである。
【０００８】
【発明の実施の形態】
以下本発明の実施例を図面に基づいて説明する。図１及び図２において、１は表裏２枚の胴部フィルム２ａ，２ｂによって形成される袋体である。３は前記袋体１の開口部であり、この開口部３には開口部３に沿って雌爪４ａと雄爪４ｂとからなる咬合具４が設けられている。
【０００９】
本発明は上記のような合成樹脂製咬合具付の袋体１において、前記咬合具４の上方の２枚の胴部フィルム２ａ，２ｂにそれぞれに咬合具４と平行して上下２条のリブ条５ａ，５ｂ、６ａ，６ｂが設けられており、この両胴部フィルム２ａ，２ｂの上方のリブ条５ａ，６ａは上下位相差を持たせた段違いＢで位置し、袋体１の両サイド７ａ，７ｂ又はその何れか一方のサイドの前記段違いＢのリブ条５ａ，６ａ間に引き裂き用ノッチ８を設けた構成である。
【００１０】
また、前記段違いＢのリブ条５ａ，６ａの上方に位置するリブ条６ａ側における下方リブ条６ｂは、他側の上下リブ条５ａ，５ｂ間の範囲Ｃ内の高さに位置した構成である。
【００１１】
さらに、前記段違いＢのリブ条５ａ，６ａの上方に位置するリブ条６ａの側における下方リブ条６ｂと、他側の上下リブ条５ａ，５ｂにエンボス又はローレット等による凹凸加工を施した構成である。
【００１２】
上記上下２条のリブ条５ａ，５ｂ、６ａ，６ｂは胴部フィルム２ａ，２ｂの押し出し成形と同時に一体化又は胴部フィルム２ａ，２ｂとは別個に成形され一体化する。あるいはテープ状フィルムを介して胴部フィルム２ａ，２ｂに間接一体化しても良い。
【００１３】
本発明は、胴部フィルム２ａ，２ｂにそれぞれに咬合具４と平行して設けられている上下２条のリブ条５ａ，５ｂ、６ａ，６ｂは、両胴部フィルム２ａ，２ｂの上方のリブ条５ａ，６ａは上下位相差を持たせた段違いＢで位置し、段違いＢのリブ条５ａ，６ａの上方に位置するリブ条６ａ側における下方リブ条６ｂは、他側の上下リブ条５ａ，５ｂ間の範囲Ｃ内の高さに位置した構成であるから、開封前の密封時においてはリブ条５ａと６ａ及び５ｂと６ｂ同士が突き当たることなく齟齬した状態になり、咬合具４上方の開口部３の厚味を増大することなく体裁を良好にする。
【００１４】
また、袋体サイド７ａ，７ｂに設けた引き裂き用のノッチ８から開始された破れは、袋体１の基材自体が引き裂きに対する方向性を持たない場合であっても、上方のリブ条５ａ，６ａによって意図した方向に誘導され、仮に意図した方向に誘導しきれない情況に遭遇することがあっても、特に問題となる咬合具４側への引き裂きに対しては、段違いＢの上方に位置するリブ条６ａ側における下方リブ条６ｂと他側の上方リブ条５ａとによって咬合具４側への引き裂きを阻止し、咬合具４の開放のための開口部３の把持部分の破損を防止する。
【００１５】
さらに、開口部３を上方のリブ条５ａ，６ａによって意図した方向に誘導して引き裂いた後においては、段違いＢの上方に位置する一方の胴部フィルム２ｂ側のリブ条６ａのみが切除され、他方の胴部フィルム２ａ側では上方リブ条５ａと下方リブ条５ｂの２本が残存し、前記一方の胴部フィルム２ｂ側には前記他方の胴部フィルム２ａ側の上方リブ条５ａと下方リブ条５ｂの間の範囲Ｃ内の高さに位置し、咬合具４に近接している下方リブ条６ｂが残存する。
【００１６】
そこで、開口部３を引き裂いた後に咬合具４を開放するに際しては前記残存するリブ条５ａ，５ｂ、６ｂが開口部３を把持した指先の滑り止め作用を果たすことになるが、他方の胴部フィルム２ａ側は上方リブ条５ａと下方リブ条５ｂの２本であり、これを把持する指先は２本の上下リブ条５ａ，５ｂによって安定した把持ができ開口操作を円滑にする。
【００１７】
また、これに加えて、一方の胴部フィルム２ｂ側の１本の下方リブ条６ｂは他方の胴部フィルム２ａ側の上方リブ条５ａと下方リブ条５ｂの間の範囲Ｃ内の高さに位置し、咬合具４に近接していることにより、これを把持して咬合具４を開放する時の力が一方の胴部フィルム２ｂ側と他方の胴部フィルム２ａ側の左右の開口部３に略均等に作用することとなり、咬合具４の開放を一層円滑にすることができる。
【００１８】
さらに、前記引き裂き開口後に残存する一方の胴部フィルム２ｂ側の下方リブ条６ｂと他方の胴部フィルム２ａ側の上方リブ条５ａと下方リブ条５ｂにエンボス又はローレット等による凹凸加工を施すことにより、滑り止め効果を向上することができる。
【００１９】
尚、上記リブ条５ａ，５ｂ、６ａ，６ｂに関しては、いわゆるリブ形態に限定されるものではなく、テープ状の肉厚部も包含するものである。
【００２０】
【発明の効果】
以上のように本発明によると、開口部に咬合具を備えた合成樹脂製袋体において、開口部の引き裂きを意図する方向に誘導させるリブ条による開口部の厚みの増大を解消して体裁をよくすると共に、開口部の引き裂き後に残存する他方の胴部フィルム側の２本のリブ条により安定した把持ができ開口操作を円滑し、この２本のリブ条の間の範囲内の高さに位置している一方の胴部フィルム側の咬合具に近接した１本のリブ条とによって咬合具を開放する時の力が左右の開口部に略均等に作用し、咬合具の開放を一層円滑にする。また、これらのリブ条にエンボス又はローレット等による凹凸加工を施すことにより、滑り止め効果を向上することができる。
【図面の簡単な説明】
【図１】本発明袋体の正面図
【図２】図１のＡ−Ａ線拡大断面斜視図
【符号の説明】
１      袋体
２ａ    胴部フィルム
２ｂ    胴部フィルム
３      開口部
４      咬合具
５ａ    上方リブ条
５ｂ    下方リブ条
６ａ    上方リブ条
６ｂ    下方リブ条
８      引き裂き用ノッチ
【図１】
0003730048.tif 000002
【図２】
0003730048.tif 000003